(57)【要約】【課題】防滑性能に優れたゴルフシューズの提供。【解決手段】ゴルフシューズのアウトソール１０は、ベース１８と多数のスパイク２０と、多数の小突起２２とを有している。スパイク２０の数は、７である。スパイク２０は、ベース１８に対して着脱自在である。アウトソール１０の底面１６における、インサイドの端３４からの幅方向距離が幅Ｗの０％以上５０％以下であり、トウサイドの端１２からの長さ方向距離が長さＬの１０％以上４５％以下であるゾーンＺに、３個のスパイク２０が存在している。このゾーンＺに存在するスパイク２０の数の、スパイク２０の総数に対する比率は、４３％である。このゾーンＺには、スパイク２０が集中的に配置されている。スパイク２０は、合成樹脂又は架橋ゴムからなる。【選択図】図２
2013070940.tif 000002
【特許請求の範囲】
【請求項１】
左足用靴及び右足用靴からなり、
上記左足用靴及び右足用靴のそれぞれが、ベースとこのベースの底面から下方に突出する多数のスパイクとを有するアウトソールを備えており、
上記アウトソールのトウサイドであってかつインサイドに、上記スパイクが集中的に配置されているゴルフシューズ。
【請求項２】
上記アウトソールの底面における、インサイドの端からの幅方向距離が幅Ｗの０％以上５０％以下であり、トウサイドの端からの長さ方向距離が長さＬの１０％以上４５％以下であるゾーンに存在するスパイクの数の、スパイクの総数に対する比率が、３５％以上である請求項１に記載のゴルフシューズ。
【請求項３】
上記スパイクが、合成樹脂又は架橋ゴムからなる請求項１又は２に記載のゴルフシューズ。
【請求項４】
上記スパイクが、円盤と、この円盤の周縁から下方に垂下する複数の垂下部とを備えた請求項１から３のいずれかに記載のゴルフシューズ。
【請求項５】
左足用靴及び右足用靴からなり、
上記左足用靴が、ベースとこのベースの底面から下方に突出する多数のスパイクとを有するアウトソールを備えており、
上記アウトソールの底面における、インサイドの端からの幅方向距離が幅Ｗの０％以上５０％以下であり、トウサイドの端からの長さ方向距離が長さＬの１０％以上４５％以下であるゾーンに存在するスパイクの数の、スパイクの総数に対する比率が、３５％以上であるゴルフシューズ。
【請求項６】
左足用靴及び右足用靴からなり、
上記右足用靴が、ベースとこのベースの底面から下方に突出する多数のスパイクとを有するアウトソールを備えており、
上記アウトソールの底面における、インサイドの端からの幅方向距離が幅Ｗの０％以上５０％以下であり、トウサイドの端からの長さ方向距離が長さＬの１０％以上４５％以下であるゾーンに存在するスパイクの数の、スパイクの総数に対する比率が、３５％以上であるゴルフシューズ。
【発明の詳細な説明】
【技術分野】
【０００１】
本発明は、ゴルフシューズに関する。詳細には、本発明は、ゴルフシューズのアウトソールの改良に関する。
【背景技術】
【０００２】
ゴルファーがゴルフボールを打撃するとき、左右の爪先を結ぶ線が目標方向とほぼ平行となるようにアドレスする。右利きのゴルファーのアドレスでは、左足が目標方向前側に位置し、右足が目標方向後側に位置する。アドレスでは、ゴルフクラブのヘッドはゴルフボールの近くに位置する。この状態からゴルファーはテイクバックを開始し、ヘッドを後へ、次いで上方へと振り上げる。最もヘッドが振り上げられた位置がトップ位置である。トップ位置からダウンスイングが開始される。ダウンスイングの開始は、「切り返し」と称されている。切り返しの後、ヘッドが振り下ろされてヘッドがゴルフボールとインパクトする。インパクト後、ゴルファーはゴルフクラブを前方へ、次いで上方へと振り抜き、フィニッシュを迎える。
【０００３】
右利きのゴルファーは、トップ位置からフィニッシュにかけて、左足を軸としてボディターンを行う。同時にゴルファーは、右足で地面を蹴ってその力をゴルフボールに伝える。右利きのゴルファーは、左足を軸足として使い、右足を蹴足として使う。左利きゴルファーの場合は、右足を軸足として使い、左足を蹴足として使う。軸足と蹴足との役割の相違が考慮されたゴルフシューズが、特開２００１−２９９４０６公報に開示されている。
【０００４】
軸足には、切り返しの前後において、大きな力がかかる。この力によって、軸足の靴が地面とスリップを起こすことがある。スリップが起こると、スイングフォームが乱れてミスショットが発生する。
【０００５】
蹴足には、インパクトの前後において、大きな力がかかる。この力によって、蹴足の靴が地面とスリップを起こすことがある。スリップが起こると、スイングフォームが乱れてミスショットが発生する。スリップはさらに、飛距離の低下を招く。
【０００６】
底面に金属又はセラミクスからなるスパイクピンを備えたゴルフシューズが存在する。スパイクピンは、スリップを防止する。しかし、このゴルフシューズでは、スパイクピンがグリーン上の芝生、クラブハウスの床、ゴルフコース中に設けられた歩行用通路の路面等を傷める。スパイクピンを備えたゴルフシューズの使用を禁止しているゴルフ場が、多い。スパイクピンを備えたゴルフシューズでは下からの突き上げ感があり、ゴルファーにとって履き心地のよいものではない。スパイクピンを備えたゴルフシューズは、近年ではあまり用いられていない。
【０００７】
スパイクピンに代えて合成樹脂又はゴムからなるスパイクが底面に設けられたゴルフシューズが、普及している。このゴルフシューズでは、芝生等が傷つけられることが少ない。このゴルフシューズは、履き心地に優れる。
【先行技術文献】
【特許文献】
【０００８】
【特許文献１】特開２００１−２９９４０６公報
【発明の概要】
【発明が解決しようとする課題】
【０００９】
合成樹脂又はゴムからなるスパイクを有するゴルフシューズの防滑性能は、スパイクピンを備えたゴルフシューズの防滑性能に比べると、劣る。特に、切り返しの前後及びインパクトの前後における防滑性能の向上が望まれている。
【００１０】
本発明の目的は、防滑性能に優れたゴルフシューズの提供にある。
【課題を解決するための手段】
【００１１】
本発明に係るゴルフシューズは、左足用靴及び右足用靴からなる。この左足用靴及び右足用靴のそれぞれは、ベースとこのベースの底面から下方に突出する多数のスパイクとを有するアウトソールを備える。このアウトソールのトウサイドであってかつインサイドに、スパイクが集中的に配置されている。
【００１２】
好ましくは、アウトソールの底面における、インサイドの端からの幅方向距離が幅Ｗの０％以上５０％以下であり、トウサイドの端からの長さ方向距離が長さＬの１０％以上４５％以下であるゾーンに存在するスパイクの数の、スパイクの総数に対する比率は、３５％以上である。
【００１３】
好ましくは、スパイクは、合成樹脂又は架橋ゴムからなる。好ましくは、スパイクは、円盤と、この円盤の周縁から下方に垂下する複数の垂下部とを備える。
【００１４】
他の観点によれば、本発明に係るゴルフシューズは、左足用靴及び右足用靴からなる。この左足用靴は、ベースとこのベースの底面から下方に突出する多数のスパイクとを有するアウトソールを備える。このアウトソールの底面における、インサイドの端からの幅方向距離が幅Ｗの０％以上５０％以下であり、トウサイドの端からの長さ方向距離が長さＬの１０％以上４５％以下であるゾーンに存在するスパイクの数の、スパイクの総数に対する比率は、３５％以上である。
【００１５】
さらに他の観点によれば、本発明に係るゴルフシューズは、左足用靴及び右足用靴からなる。この右足用靴は、ベースとこのベースの底面から下方に突出する多数のスパイクとを有するアウトソールを備える。このアウトソールの底面における、インサイドの端からの幅方向距離が幅Ｗの０％以上５０％以下であり、トウサイドの端からの長さ方向距離が長さＬの１０％以上４５％以下であるゾーンに、３５％以上のスパイクが存在する。
【発明の効果】
【００１６】
本発明に係るゴルフシューズでは、スパイクによってスリップが抑制される。このゴルフシューズは、防滑性能に優れる。
【図面の簡単な説明】
【００１７】
【図１】図１は、本発明の一実施形態に係るゴルフシューズの左足用靴が示された側面図である。
【図２】図２は、図１の左足用靴のアウトソールが示された底面図である。
【図３】図３（ａ）は図２のアウトソールのスパイクが示された拡大底面図であり、図３（ｂ）は図３（ａ）のＢ−Ｂ線に沿った断面図である。
【図４】図４は、本発明の他の一実施形態に係るゴルフシューズの左足用靴のアウトソールが示された底面図である。
【発明を実施するための形態】
【００１８】
以下、適宜図面が参照されつつ、好ましい実施形態に基づいて本発明が詳細に説明される。
【００１９】
本発明に係るゴルフシューズは、左足用靴及び右足用靴からなる。図１及び２には、左足用靴２が示されている。この左足用靴２は、右利きゴルファーの軸足に着用される。この左足用靴２は、左利きゴルファーの蹴足にも着用される。右足用靴は、左足用靴２の形状がミラー反転した形状を有する。この右足用靴は、右利きゴルファーの蹴足又は左利きゴルファーの軸足に着用される。以下、右利きゴルファーに着用される場合が例とされ、本発明が詳説される。
【００２０】
この左足用靴２は、アッパー４とソール６とを備えている。ソール６は、インソール（図示されず）、ミッドソール８及びアウトソール１０からなる。図２において、符号Ｘで示されているのは幅方向であり、符号Ｙで示されているのは長さ方向である。図２において符号Ｌ１で示されているのは、長さ線である。長さ線Ｌ１は、底面視において、アウトソール１０の輪郭内に画かれうる最長の線である。長さ線Ｌ１は、トウサイドの端１２からヒールサイドの端１４にまで至っている。長さ線Ｌ１の長さは、符号Ｌで示されている。Ｙ方向（長さ方向）は、長さ線Ｌ１の方向と一致している。Ｘ方向（幅方向）は、長さ線Ｌ１の方向と直交している。
【００２１】
アッパー４には、既知の材料が用いられる。天然皮革、合成皮革、人工皮革、織布等が、アッパー４に用いられうる。アッパー４の内面に、内材が貼り付けられてもよい。典型的な内材は、織布である。内材として、透湿防水材料が用いられてもよい。典型的な透湿防水材料は、ゴアテックス（登録商標）からなるブーティである。
【００２２】
ミッドソール８は、発泡体からなる。好ましくは、、ミッドソール８は、多数の独立気泡を含む。着地時に、ミッドソール８は圧縮変形を起こす。この圧縮変形により、衝撃が吸収される。ミッドソール８における好ましい基材ポリマーは、エチレン−酢酸ビニル共重合体（ＥＶＡ）である。衝撃吸収性の観点から、ミッドソール８の硬度は７０以下が好ましく、６５以下が特に好ましい。強度の観点から、硬度は４０以上が好ましい。硬度は、「ＪＩＳ  Ｋ  ６２５３」の規定に準拠して、タイプＡのデュロメーターにて測定される。
【００２３】
アウトソール１０は、ミッドソール８の下側に位置している。アウトソール１０は、ミッドソール８と接合されている。接合は、接着剤によって達成されうる。
【００２４】
図２には、アウトソール１０の底面が示されている。図２において、左側がインサイドであり、右側がアウトサイドであり、上側がトウサイドであり、下型がヒールサイドである。このアウトソール１０は、ベース１８と多数のスパイク２０と、多数の小突起２２とを有する。この実施形態では、スパイク２０の数は７である。スパイク２０の数は、６以上１０以下が好ましい。図１に示されるように、それぞれのスパイク２０は、ベース１８の底面１６から下方に突出している。小突起２２は、ベース１８の底面１６から下方に突出している。小突起２２は、ベース１８と一体的に成形されている。
【００２５】
ベース１８は、架橋ゴムからなる。好ましい基材ゴムとして、天然ゴム、イソプレンゴム、ブタジエンゴム、スチレン−ブタジエンゴム、アクリロニトリル−ブタジエンゴム及びウレタンゴムが例示される。ベース１８が、合成樹脂又はエラストマーからなってもよい。耐摩耗性の観点から、ベース１８の硬度は７０以上が好ましく、７２以上が特に好ましい。足の変形への追従性の観点から、硬度は９５以下が好ましく、９２以下が特に好ましい。硬度は、「ＪＩＳ  Ｋ  ６２５３」の規定に準拠して、タイプＡのデュロメーターにて測定される。
【００２６】
図３（ａ）はスパイク２０が示された拡大底面図であり、図３（ｂ）は図３（ａ）のＢ−Ｂ線に沿った断面図である。図３（ｂ）には、スパイク２０と共に、プレート２４及びスクリュー２６が示されている。スパイク２０は、円盤２８と垂下部３０とを備えている。円盤２８と垂下部３０とは、一体的に成形されている。プレート２４とスクリュー２６とは、一体的に成形されている。プレート２４及びスクリュー２６は、硬質合成樹脂からなる。プレート２４は、スパイク２０と接合されている。スクリュー２６には、雄ネジが螺刻されている。このスクリュー２６がベース１８に穿設された穴３２に螺入されることにより、スパイク２０がベース１８に取り付けられる。このスパイク２０は、ベース１８に対して着脱自在である。
【００２７】
この実施形態では、垂下部３０の数は６である。垂下部３０の数は、４以上１０以下が好ましい。それぞれの垂下部３０は、円盤２８の周縁から下方に垂下している。この垂下部３０は、芝生に突き刺さる。この突き刺さりにより、芝生に対するゴルフシューズのスリップが防止される。垂下部３０の下端は、小突起２２の下端よりも下方に位置している。このゴルフシューズでは、垂下部３０が、小突起２２よりも深く、芝生に突き刺さる。
【００２８】
垂下部３０の高さＨは、１ｍｍ以上６ｍｍ以下が好ましい。高さＨが１ｍｍ以上である垂下部３０により、スリップが十分に抑制される。この観点から、高さＨは２ｍｍ以上が特に好ましい。高さＨが６ｍｍ以下である垂下部３０は、芝生を傷つけにくい。この観点から、高さＨは４ｍｍ以下が特に好ましい。スパイク２０の直径Ｄｉは、１５ｍｍ以上が好ましく、２０ｍｍ以上が特に好ましい。直径Ｄｉは、３０ｍｍ以下が好ましい。
【００２９】
スパイク２０は、樹脂組成物からなる。スパイク２０に適した基材樹脂として、ポリウレタンが例示される。スパイク２０が、ゴム組成物が架橋されることによって成形されてもよい。
【００３０】
垂下部３０の硬度は、７５以上９８以下が好ましい。この硬度が７５以上である垂下部３０により、ゴルフシューズのスリップが防止される。この観点から、この硬度は８０以上が特に好ましい。この硬度が９８以下である垂下部３０は、芝生を傷つけにくい。この観点から、この硬度は９５以下が特に好ましい。硬度は、「ＪＩＳ  Ｋ  ６２５３」の規定に準拠して、タイプＡのデュロメーターにて測定される。
【００３１】
小突起２２の高さは２ｍｍ以上が好ましく、４ｍｍ以上が特に好ましい。小突起２２の高さは、１５ｍｍ以下が好ましく、１０ｍｍ以下が特に好ましい。
【００３２】
図２において符号Ｌ２で示されているのは、底面１６のインサイドの端３４を通過し、長さ線Ｌ１に平行な線である。符号Ｌ３で示されているのは、底面１６のアウトサイドの端３６を通過し、長さ線Ｌ１に平行な線である。線Ｌ２と線Ｌ３との距離Ｗは、底面１６の幅である。図２において符号Ｌ４で示されているのは、長さ線Ｌ１と平行であり、かつインサイドの端３４からの幅方向距離が幅Ｗの５０％である線である。
【００３３】
図２において符号Ｌ５で示されているのは、長さ線Ｌ１と直交し、かつトウサイドの端１２からの長さ方向距離が長さＬの１０％である線である。符号Ｌ６で示されているのは、長さ線Ｌ１と直交し、かつトウサイドの端１２からの長さ方向距離が長さＬの４５％である線である。
【００３４】
アウトソール１０の底面のうち、線Ｌ２、Ｌ４、Ｌ５及びＬ６に囲まれたゾーンＺには、切り返しにおいて大きな荷重がかかる。以下、このゾーンＺは、「高荷重ゾーン」と称される。
【００３５】
図２から明らかなように、高荷重ゾーンＺには、３個のスパイク２０が存在している。スパイク２０の総数は７なので、高荷重ゾーンＺに存在するスパイク２０の比率ＰＬは４３％である。このゴルフシューズでは、スパイク２０が高荷重ゾーンＺに集中的に配置されている。このゴルフシューズでは、切り返し時のスリップが抑制される。この比率ＰＬは３５％以上が好ましく、４０％以上がより好ましく、４３％以上が特に好ましい。この比率ＰＬは、５０％以下が好ましい。
【００３６】
スパイク２０の総数が６であるとき、高荷重ゾーンＺに存在するスパイク２０の数は３が好ましい。スパイク２０の総数が７であるとき、高荷重ゾーンＺに存在するスパイク２０の数は３が好ましい。スパイク２０の総数が８であるとき、高荷重ゾーンＺに存在するスパイク２０の数は３又は４が好ましい。スパイク２０の総数が９であるとき、高荷重ゾーンＺに存在するスパイク２０の数は４が好ましい。スパイク２０の総数が１０であるとき、高荷重ゾーンＺに存在するスパイク２０の数は４又は５が好ましい。
【００３７】
線Ｌ４、Ｌ５又はＬ６にまたがって存在するスパイク２０であって、その中心が高荷重ゾーンＺに含まれるスパイク２０は、高荷重ゾーンＺに存在するスパイク２０である。線Ｌ４、Ｌ５又はＬ６にまたがって存在するスパイク２０であって、その中心が高荷重ゾーンＺに含まれないスパイク２０は、高荷重ゾーンＺに存在しないスパイク２０である。
【００３８】
インサイドの端３４からの幅方向距離が幅Ｗの０％以上５０％以下であり、トウサイドの端１２からの長さ方向距離が長さＬの１２％以上４３％以下であるゾーンに、集中的にスパイク２０が存在することが、より好ましい。インサイドの端３４からの幅方向距離が幅Ｗの０％以上５０％以下であり、トウサイドの端１２からの長さ方向距離が長さＬの１５％以上４０％以下であるゾーンに、集中的にスパイク２０が存在することが、特に好ましい。
【００３９】
前述の通り、右足用靴のアウトソールは、図２に示された左足用靴２のアウトソール１０の形状がミラー反転した形状を有する。この右足用靴のアウトソールの底面における、インサイドの端３４からの幅方向距離が幅Ｗの０％以上５０％以下であり、トウサイドの端１２からの長さ方向距離が長さＬの１０％以上４５％以下であるゾーンＺも、高荷重ゾーンと称される。この高荷重ゾーンＺには、インパクトの前後において、大きな荷重がかかる。この高荷重ゾーンＺにスパイク２０が集中的に配置されることにより、インパクトの前後における右足用靴のスリップが防止される。この高荷重ゾーンＺにスパイク２０が集中的に配置されることにより、足で地面を蹴る力がゴルフボールに十分に伝達される。このゴルフボールは、大きな飛距離を伴って飛行する。
【００４０】
右足用靴においても、高荷重ゾーンＺに存在するスパイク２０の比率ＰＲは３５％が以上好ましく、４０％以上がより好ましく、４３％以上が特に好ましい。この比率ＰＲは、５０％以下が好ましい。
【００４１】
右足用靴においても、スパイク２０の総数が６であるとき、高荷重ゾーンＺに存在するスパイク２０の数は３が好ましい。スパイク２０の総数が７であるとき、高荷重ゾーンＺに存在するスパイク２０の数は３が好ましい。スパイク２０の総数が８であるとき、高荷重ゾーンＺに存在するスパイク２０の数は３又は４が好ましい。スパイク２０の総数が９であるとき、高荷重ゾーンＺに存在するスパイク２０の数は４が好ましい。スパイク２０の総数が１０であるとき、高荷重ゾーンＺに存在するスパイク２０の数は４又は５が好ましい。
【００４２】
右足用靴においても、インサイドの端３４からの幅方向距離が幅Ｗの０％以上５０％以下であり、トウサイドの端１２からの長さ方向距離が長さＬの１２％以上４３％以下であるゾーンに、集中的にスパイク２０が存在することが、より好ましい。インサイドの端３４からの幅方向距離が幅Ｗの０％以上５０％以下であり、トウサイドの端１２からの長さ方向距離が長さＬの１５％以上４０％以下であるゾーンに、集中的にスパイク２０が存在することが、特に好ましい。
【００４３】
ゴルフシューズが、高荷重ゾーンＺにスパイク２０が集中している左足用靴２と、高荷重ゾーンＺにスパイク２０が集中していない右足用靴とを備えてもよい。このゴルフシューズでは、切り返し時のスリップが抑制される。
【００４４】
ゴルフシューズが、高荷重ゾーンＺにスパイク２０が集中していない左足用靴２と、高荷重ゾーンＺにスパイク２０が集中している右足用靴とを備えてもよい。このゴルフシューズでは、インパクト時のスリップが抑制される。このゴルフシューズでは、ゴルフボールに十分な力が伝達されうる。
【００４５】
図４は、本発明の他の実施形態に係るゴルフシューズの左足用靴のアウトソール４０が示された底面図である。図示されていないが、右足用靴のアウトソールは、図４に示された左足用靴のアウトソール４０の形状がミラー反転した形状を有する。このアウトソール４０は、ベース１８と７個の大きなスパイク２０と、４個の小さなスパイク４２と、多数の小突起２２とを有する。スパイク２０、４２の総数は、１１である。大きなスパイク２０の詳細な形状は、図３に示されている。換言すれば、このスパイク２０は、円盤２８と垂下部３０とを備えている。小さなスパイク４２は、大きなスパイク２０が縮小された形状を有する。換言すれば、このスパイク４２も、円盤と垂下部とを備えている。小さなスパイク４２が、大きなスパイク２０とは異なる形状を備えてもよい。これらのスパイク２０、４２の材質は、図２に示されたアウトソール１０のスパイク２０の材質と同等である。
【００４６】
この実施形態では、高荷重ゾーンＺに、３個の大きなスパイク２０と２個の小さなスパイク４２とが存在している。高荷重ゾーンＺに存在するスパイク２０、４２の数は、５である。前述の通り、スパイク２０、４２の総数は１１なので、高荷重ゾーンＺに存在するスパイク２０、４２の数の、総数に対する比率は、４５％である。このゴルフシューズでは、スパイク２０、４２が高荷重ゾーンＺに集中的に配置されている。
【００４７】
スパイク２０、４２が高荷重ゾーンＺに集中的に配置されているので、このゴルフシューズでは、切り返し時のスリップが抑制される。右足用靴のアウトソールは、図４に示された左足用靴のアウトソール４０の形状がミラー反転した形状を有する。従って、このゴルフシューズでは、インパクトの前後における右足用靴のスリップも防止される。
【実施例】
【００４８】
以下、実施例によって本発明の効果が明らかにされるが、この実施例の記載に基づいて本発明が限定的に解釈されるべきではない。
【００４９】
［実施例１］
モールドにゴム組成物を投入し、加圧しかつ加熱して、ベース及び小突起を成形した。このベースに、図３に示された形状を有する６個のスパイクを取り付けて、左足用靴を得た。高荷重ゾーンにおけるスパイクの数は、３である。モールドにゴム組成物を投入し、加圧しかつ加熱して、ベース及び小突起を成形した。このベースに、図３に示された形状を有する７個のスパイクを取り付けて、右足用靴を得た。高荷重ゾーンにおけるスパイクの数は、２である。
【００５０】
［実施例２−１５及び比較例１−９］
スパイクの数を下記の表１−５に示される通りとした他は実施例１と同様にして、実施例２−１５及び比較例１−９のゴルフシューズを得た。
【００５１】
［評価］
ゴルフシューズを右利きのゴルファーに着用させ、水をまいた人工芝生の上で、ドライバーにてゴルフボールを打撃させた。このゴルファーに、切り返し時及びインパクト時の防滑性能について、下記の基準に基づいて格付けさせた。この結果が、下記の表１から５に示されている。
Ａ：滑らない
Ｂ：やや滑る
Ｃ：滑りやすい
【００５２】
【表１】
2013070940.tif 000003
【００５３】
【表２】
2013070940.tif 000004
【００５４】
【表３】
2013070940.tif 000005
【００５５】
【表４】
2013070940.tif 000006
【００５６】
【表５】
2013070940.tif 000007
【００５７】
表１から５に示されるように、実施例のゴルフシューズは防滑性能に優れている。この評価結果から、本発明の優位性は明らかである。
【産業上の利用可能性】
【００５８】
本発明に係るゴルフシューズは、ゴルフ場でのプレーのときに着用されうる。このゴルフシューズは、ドライビングレンジでのプラクティスのときにも着用されうる。
【符号の説明】
【００５９】
２・・・ゴルフシューズ
４・・・アッパー
８・・・ミッドソール
１０、４０・・・アウトソール
１８・・・ベース
２０、４２・・・スパイク
２２・・・小突起
２８・・・円盤
３０・・・垂下部
【図１】
2013070940.tif 000008
【図２】
2013070940.tif 000009
【図３】
2013070940.tif 000010
【図４】
2013070940.tif 000011